(57)【要約】【課題】肌面の複雑な凹凸に刃面を円滑に追随できながら、ひげ切断面の不必要な傾動を規制してひげ切断を効果的に行う。【解決手段】内刃１８ａおよび外刃１８ｂを備えたかみそりヘッド２を、グリップを兼ねる本体ケース１に対して前後方向、および左右方向へ傾動可能に支持する。前後傾動するかみそりヘッド２を前後一対ずつの第１ばね３８で中立位置へ復帰付勢し、左右傾動するかみそりヘッド２を第２ばね３９で中立位置へ復帰付勢する。第１ばね３８のばね荷重Ｆ１を、第２ばね３９のばね荷重Ｆ２より大きく設定して、ひげ切断面を肌面の凹凸に追随させながら、ひげ切断時のかみそりヘッド２の前後方向のふらつきを規制する。【選択図】図１
2008307132.tif 000002
【特許請求の範囲】
【請求項１】
内刃（１８ａ）および外刃（１８ｂ）を備えたかみそりヘッド（２）が、グリップを兼ねる本体ケース（１）に対して前後方向、および左右方向へ傾動可能に支持されており、
前後傾動するかみそりヘッド（２）が第１ばね（３８）で中立位置へ復帰付勢され、左右傾動するかみそりヘッド（２）が第２ばね（３９）で中立位置へ復帰付勢されており、
第１ばね（３８）のばね荷重（Ｆ１）が、第２ばね（３９）のばね荷重（Ｆ２）より大きく設定してあることを特徴とする電気かみそり。
【請求項２】
かみそりヘッド（２）が本体ケース（１）に対して上下浮動可能に支持されて、第３ばね（４０）で押し上げ付勢されており、
第３ばね（４０）のばね荷重（Ｆ３）が、第１ばね（３８）のばね荷重（Ｆ１）より小さく、第２ばね（３９）のばね荷重（Ｆ２）より大きく設定してある請求項１記載の電気かみそり。
【請求項３】
かみそりヘッド（２）に、外刃ホルダー（１７）を分離不能にロック保持するロック構造が設けられており、
ロック構造は、かみそりヘッド（２）の外面に露出する状態で設けられるロック解除具（２４）と、ロック解除具（２４）をロック姿勢に保持するロックばね（２７）を含み、
ロックばね（２７）のばね荷重（Ｆ４）が、第２ばね（３９）のばね荷重（Ｆ２）より大きく設定してある請求項１または２記載の電気かみそり。
【請求項４】
ロックばね（２７）のばね荷重（Ｆ４）が、第１ばね（３８）のばね荷重（Ｆ１）より大きく設定してある請求項１、２または３記載の電気かみそり。
【発明の詳細な説明】
【技術分野】
【０００１】
本発明は、かみそりヘッドが本体ケースで前後、左右へ傾動可能に支持してある電気かみそりに関する。
【背景技術】
【０００２】
本発明に関して、かみそりヘッドを傾動可能、および上下浮動可能に支持することは、例えば特許文献１に公知である。そこでは本体ケースでフローティング枠を上下浮動可能に支持し、左右のフローティング枠に設けた左右軸でかみそりヘッドを前後傾動可能に支持している。左右のフローティング枠は、それぞれ圧縮コイル形のばねで押し上げ付勢してあり、左右同時に、あるいは独立して上下動できる。また、前後傾動したかみそりヘッドを中立位置へ復帰されるために、斜めに配置した一対の引っ張りばねでかみそりヘッドを復帰付勢している。
【０００３】
本発明の電気かみそりに関して、かみそりヘッドを前後、左右、上下、斜めの全方位方向へ浮動支持し、複数個のばねで中立位置へ復帰付勢することは特許文献２に公知である。そこでは、内フレームの上部に設けたフロート枠でフロート台を前後、左右、上下方向へ浮動可能に支持し、フロート枠とフロート台との間に配置した左右一対の圧縮コイル形のばねで、フロート台およびかみそりヘッドを中立位置へ復帰付勢している。つまり、一対のばねは、前後傾動したかみそりヘッドを復帰付勢するための復帰ばねと、左右傾動したかみそりヘッドを復帰付勢するための復帰ばねを兼ねている。
【０００４】
【特許文献１】特開平８−１８７３７３号公報（段落番号００１１、図１、図３）
【特許文献２】特開２００５−２１８６０８号公報（段落番号００２７、図１）
【発明の開示】
【発明が解決しようとする課題】
【０００５】
上記のようにかみそりヘッドを浮動支持する電気かみそりは、肌面の凹凸に追随してひげ切断面を傾動できる半面、かみそりヘッドが不必要に傾動してふらつきやすく、ひげ切断を効果的に行いにくい傾向がある。とくに、特許文献１の電気かみそりにおいては、左右軸回りの前後傾動動作と、フローティング枠の上下動による左右傾動動作でかみそりヘッドを傾動変位させるので、かみそりヘッドが前後にふらつきやすい。
【０００６】
本発明の目的は、肌面の複雑な凹凸に刃面を円滑に追随できるにもかかわらず、かみそりヘッドの不必要な傾動を規制して、ひげ切断を効果的に行える電気かみそりを提供することにある。
【課題を解決するための手段】
【０００７】
本発明の電気かみそりは、内刃１８ａおよび外刃１８ｂを備えたかみそりヘッド２が、グリップを兼ねる本体ケース１に対して前後方向、および左右方向へ傾動可能に支持されている。前後傾動するかみそりヘッド２を第１ばね３８で中立位置へ復帰付勢し、左右傾動するかみそりヘッド２を第２ばね３９で中立位置へ復帰付勢する。第１ばね３８のばね荷重Ｆ１を、第２ばね３９のばね荷重Ｆ２より大きく設定する。
【０００８】
かみそりヘッド２が本体ケース１に対して上下浮動可能に支持されて、第３ばね４０で押し上げ付勢されている。第３ばね４０のばね荷重Ｆ３を、第１ばね３８のばね荷重Ｆ１より小さく、第２ばね３９のばね荷重Ｆ２より大きく設定する。
【０００９】
かみそりヘッド２に、外刃ホルダー１７を分離不能にロック保持するロック構造を設ける。ロック構造は、かみそりヘッド２の外面に露出する状態で設けられるロック解除具２４と、ロック解除具２４をロック姿勢に保持するロックばね２７を含む。ロックばね２７のばね荷重Ｆ４は、第２ばね３９のばね荷重Ｆ２より大きく設定する。
【００１０】
ロックばね２７のばね荷重Ｆ４を第１ばね３８のばね荷重Ｆ１より大きく設定する。
【発明の効果】
【００１１】
本発明では、かみそりヘッド２が前後方向と、左右方向へそれぞれ傾動可能に支持してある電気かみそりにおいて、前後傾動するかみそりヘッド２を第１ばね３８で中立位置へ復帰付勢し、左右傾動するかみそりヘッド２を第２ばね３９で中立位置へ復帰付勢した。そのうえで、第１ばね３８のばね荷重Ｆ１を第２ばね３９のばね荷重Ｆ２より大きく設定して、左右傾動動作に比べて前後傾動動作をより強力に抑止できるようにした。
【００１２】
したがって、本発明のヘッド支持構造によれば、かみそりヘッド２が前後方向へ傾動するのを抑止しながらひげ切断面を肌面の凹凸に追随させることができ、従来の電気かみそりに比べて、ひげ切断面の不必要な傾動を規制して、ひげ切断を効果的に行える電気かみそりが得られる。かみそりヘッド２が前後方向へ傾動するのを抑止するので、落下衝撃などの外力が作用する場合にかみそりヘッド２が大きく傾動して、その一部が本体ケース１に接当するのを防止できる。
【００１３】
上下浮動可能に支持したかみそりヘッド２を第３ばね４０で押し上げ付勢するヘッド支持構造において、第３ばね４０のばね荷重Ｆ３を、第１ばね３８のばね荷重Ｆ１より小さく、第２ばね３９のばね荷重Ｆ２より大きく設定すると、上記のように、かみそりヘッド２が前後方向へ傾動するのを抑止することに加えて、ひげ切断面が肌面に強く押し付けられるときのかみそりヘッド２の沈み込みを規制しながら、肌面の変化に追随してひげ切断面を左右傾動できることとなる。したがって、より一層ひげ切断面を肌面の凹凸に追随させながら、ひげ切断時のかみそりヘッド２のふらつきを規制して、効率よくひげ切断を行うことができる。
【００１４】
外刃ホルダー１７用のロック構造を構成するロック解除具２４を、ロックばね２７でロック付勢する電気かみそりにおいて、ロックばね２７のばね荷重Ｆ４を第２ばね３９のばね荷重Ｆ２より大きく設定すると、電気かみそりをバッグに収容した状態で携行するような場合に、ロック解除ボタン２４に外力が作用することがあっても、かみそりヘッド２の全体が左右傾動して外力を逃がすことができる。したがって、バッグ内で外力を受けたロック解除ボタン２４がロック解除操作されるのをよく防止でき、外刃ホルダー１７がヘッドフレーム１５から浮き離れて内部の毛屑がバッグ内に飛散するのを防止できる。
【００１５】
ロックばね２７のばね荷重Ｆ４を、第１ばね３８によるばね荷重力Ｆ１より大きく設定すると、かみそりヘッド２を中立位置へ復帰させるための各ばね３８〜４０のばね荷重Ｆ１〜Ｆ３に比べて、ロックばね２７のばね荷重Ｆ４が最も強いものとなるので、かみそりヘッド２にどの方向から外力が作用したとしても、まず、かみそりヘッド２が前後左右に傾動し、あるいは上下に変位して外力を逃がすことができる。したがって、ロック解除ボタン２４が不用意にロック解除操作されるのを一掃して、外刃ホルダー１７がヘッドフレーム１５から離脱し内部の毛屑が漏れ出るのを解消できる。
【発明を実施するための最良の形態】
【００１６】
（実施例）  図１ないし図１０は本発明を適用したロータリー式の電気かみそりの実施例を示す。図２および図３において電気かみそりは、グリップを兼ねる本体ケース１と、その上部に設けられるかみそりヘッド２と、本体ケース１の内部に収容される電装品ユニット３などで構成してある。本体ケース１の前面には、モーター起動用のスイッチボタン４や、モーターの運転状態を切り替えるセレクトボタン５と、ＬＥＤ表示部６とが設けてある。本体ケース１の後面には、きわぞり刃７と、きわぞり刃７を使用姿勢へ押し上げ操作するスライドノブ８が設けてある。かみそりヘッド２の中心軸線は、本体ケース１の中心軸線に対してケース前面側へ傾斜させてある（図３参照）。
【００１７】
図３において電装品ユニット３は、内ケース１０と、その内部に配置される回路基板１１および２次電池１２などの電源部と、回路基板に実装されて先のボタン４・５で切り換え操作されるスイッチと、複数個の表示用ＬＥＤなどで構成してある。内ケース１０の上端面には、後述する橋絡部４３を係合装着するための係合枠１３と、左右一対のブラケット１４が形成してある（図１参照）。
【００１８】
図４においてかみそりヘッド２は、ヘッドフレーム１５と、ヘッドフレーム１５の下面に締結固定されるモーターホルダー１６と、ヘッドフレーム１５に対して着脱できる外刃ホルダー１７などを外殻体にして、ヘッドフレーム１５の上面上方に前後一対のメイン刃１８とセンター刃１９を配置し、これら両者の内刃をモーターホルダー１６に収容したモーター２０の動力で駆動できるようにしてある。縦置き配置したモーター２０の回転動力は、ヘッドフレーム１５に設けたギヤ伝動機構２１を介してメイン刃１８の内刃１８ａに伝動され、同時に図示していない振動子で往復動力に変換してセンター刃１９の内刃と、きわぞり刃８の可動刃に伝動される。メイン刃１８の外刃１８ｂは外刃ホルダー１７に組み付けてある。
【００１９】
外刃ホルダー１７は、ヘッドフレーム１５に対して着脱可能に装着されて、ロック構造で分離不能にロック保持してある。図５においてロック構造は、ヘッドフレーム１５で出没自在に案内支持される左右一対のロック解除ボタン２４と、ロック解除ボタン２４の出没動作に連動して左右揺動し、ロック状態とロック解除状態とに切り換わるロックレバー２５と、ロックレバー２５とロック係合する外刃ホルダー１７のロック穴２６と、ロック解除ボタン２４を進出付勢してロック姿勢に保持するロックばね２７などで構成する。ロックレバー２５はロック穴２６に係合する前後一対のロック爪２８（図１参照）と、ロック解除ボタン２４と同行移動する連動アーム２９とを一体に備えており、その上下中途部が軸３０で左右揺動可能に軸支してある。ロック解除ボタン２４をロックばね２７の付勢力に抗して押し込み操作すると、ロックレバー２５のロック爪２８とロック穴２６との係合状態が解除されるので、外刃ホルダー１７をヘッドフレーム１５から取り外すことができる。
【００２０】
上記のかみそりヘッド２を前後、左右方向へ傾動可能に支持し、さらに上下浮動可能に支持するために、かみそりヘッド２と本体ケース１との間にヘッド支持構造を設けている。図６においてヘッド支持構造は、内ケース１０に固定されるフレーム３３と、フレーム３３で相対揺動可能に支持されるヘッド枠３４と、フレーム３３とヘッド枠３４との間に設けられる第１傾動軸３５と、ヘッド枠３４とかみそりヘッド２との間に設けられる第２傾動軸３６と、フレーム３３に装着される左右一対のばね受枠３７と、ヘッド枠３４およびかみそりヘッド２を中立位置へ復帰付勢する第１ばね３８および第２ばね３９で構成する。
【００２１】
フレーム３３は、モーターホルダー１６を間に挟んで対向配置される左右一対の支持アーム４２と、支持アーム４２の下端どうしを繋ぐ橋絡部４３とを一体に備えた逆門形のステンレス板材製のプレス金具で構成してある。支持アーム４２は、橋絡部４３の左右側縁に連続して上向きに折り曲げられる縦壁４４と、縦壁４４の上部に連続して外側方へ折り曲げられる補強壁４５と、補強壁４５に連続して上向きに折り曲げられる連結壁４６とを備えている。図６に示すように、側面から見た縦壁４４は、上向き、斜め後向き、上向き、斜め前向きの順に屈折する状態で打ち抜き形成されており、これにより連結壁４６をかみそりヘッド２の中心軸線と同じ方向へ同じ角度で傾斜させている。補強壁４５と連結壁４６の壁面とは互いに直交する関係にある。
【００２２】
橋絡部４３は平板状に形成してあり、その前後縁に四角形状の連結片４７が張り出し形成してある。図４および図１０に示すように、これらの連結片４７を内ケース１０の係合枠１３に差し込み係合し、さらに左右縦壁４４の下部を、先のブラケット１４と共にビス４８で前ケース１ａに締結することにより、フレーム３３が本体ケース１と一体化してある。このように左右縦壁４４の下部とブラケット１４をビス４８で前ケース１ａに共締固定すると、フレーム３３と内ケース１０をより簡単な構造で本体ケース１と一体化できる。図１０において符号１ｂは後ケースである。
【００２３】
図６〜図９に示すように、ヘッド枠３４は、モーターホルダー１６を周囲を囲むリング状の枠本体５１と、枠本体５１の左右両側から横向きに張り出されるばね受ブロック５２と、ばね受ブロック５２の側端から上向きに突設される軸受腕５３と、枠本体５１の前後面に設けられる傾動枠５４と、を一体に備えたプラスチック成形品からなる。枠本体５１は、モーターホルダー１６の断面形状に合致して、前部および後部が平坦な太鼓形状に形成してあり（図９参照）、これらの平坦部分に円形リング状の傾動枠５４が一体に形成してある。傾動枠５４で囲まれる円形の空間は、かみそりヘッド２を上下に昇降変位させ、さらに左右に傾動させるための浮動穴５６として機能する。ばね受ブロック５２の上面、および前後面には、それぞればね受突起５７が突設してある。
【００２４】
ヘッド枠３４の軸受腕５３を支持アーム４２の連結壁４６の内面に接合して、両者３３・４１を第１傾動軸３５で連結することにより、ヘッド枠３４がフレーム３３で前後傾動可能に支持される。また、モーターホルダー１６の前後面に突設した第２傾動軸３６を傾動枠５４の上部内面、すなわち浮動穴５６の上面で受け止めることにより、かみそりヘッド２の全体が、第２傾動軸３６を傾動支点にして左右傾動でき、さらにかみそりヘッド２の全体が上下浮動できる。なお、かみそりヘッド２の昇降動作は、その中心軸線に沿った斜めの昇降動作となる。
【００２５】
上記のように、かみそりヘッド２が組み付けられたヘッド枠３４を、第１傾動軸３５でフレーム３３に組み付けた状態においては、第１傾動軸３５と第２傾動軸３６とは、それぞれの軸中心線が互いに直交する。これにより、かみそりヘッド２は本体ケース１に対して、前後、および左右方向へ傾動可能に支持され、上下および斜め方向へ浮動可能に支持される。
【００２６】
ばね受枠３７は、左右の支持アーム４２の補強壁４５に係合装着されるベース部６０と、ベース部６０の前後端から上向きに突設されるばね受腕６１とを一体に設けた、前後に長いプラスチック成形品からなる。図１に示すようにベース部６０を補強壁４５に係合装着した状態においては、前後のばね受腕６１がばね受ブロック５２の前後面に設けたばね受突起５７と正対しており、ばね受腕６１の側にもばね受突起５７と同様のばね受突起６２が形成してある。また、各ばね受腕６１の前面および後面には、それぞれ係合ピン６３が突設してある（図６参照）。
【００２７】
図１および図７に示すように、断面が横臥Ｌ状のベース部６０を、補強壁４５の下面と縦壁４４との内隅部分にあてがって補強壁４５に圧嵌係合することにより、ばね受枠３７をフレーム３３と一体化できる。この組み付け状態におけるばね受枠３７は第１傾動軸３５と直交する関係にある。
【００２８】
上記のように浮動および傾動可能に支持したヘッド枠３４およびかみそりヘッド２を中立位置へ復帰付勢するために、ヘッド枠３４とばね受枠３７との間に圧縮コイル形のばねからなる４個の第１ばね３８を配置し、かみそりヘッド２とヘッド枠３４との間に圧縮コイル形のばねからなる２個の第２ばね３９を配置する。詳しくは、図１に示すように、ヘッド枠３４のばね受ブロック５２の前後に設けたばね受突起５７と、ばね受枠３７の前後のばね受腕６１に設けたばね受突起６２との間に第１ばね３８を配置する。また、モーターホルダー１６の上端左右に張り出した座壁６６（図７参照）の下面にばね受突起６７を突設し、このばね受突起６７と、ヘッド枠３４のばね受ブロック５２の上面に設けたばね受突起５７との間に第２ばね３９を配置している。左右の第２ばね３９は、押し下げ操作されたかみそりヘッド２を上方へ押し戻し操作する第３ばね４０を兼ねている。
【００２９】
先に説明したように、フレーム３３は、その橋絡部４３を内ケース１０の係合枠１３に係合し、左右縦壁４４をブラケット１４と共にビス４８で前ケース１ａに締結することにより本体ケース１と一体化される。この固定構造に加えて、フレーム３３の上部左右、および左右一対のばね受枠３７の前後をそれぞれ本体ケース１に固定することにより、ヘッド支持構造を本体ケース１に対してさらに強固に固定し、堅牢さを向上できるようにしている。
【００３０】
具体的には図７に示すように、第１傾動軸３５の軸端を前ケース１ａおよび後ケース１ｂの接合縁に設けた係合穴７０で支持して、第１傾動軸３５と、連結壁４６、軸受腕５３などを固定保持している。また、図１および図９に示すように、各ばね受枠３７の前側のばね受腕６１に設けた係合ピン６３を前ケース１ａの内面に設けたボス７１で支持し、さらに、各ばね受枠３７の後側のばね受腕６１に設けた係合ピン６３を後ケース１ｂに設けたボス７２で支持して、ばね受枠３７および補強壁４５を固定保持している。連結壁４６と係合穴７０との間には、第１傾動軸３５に外嵌するスペーサー７３が配置され、第１傾動軸３５の側端は側部カバー１ｃで覆われている（図７参照）。
【００３１】
上記のように構成したヘッド支持構造において、第１ばね３８、第２ばね３９、および第３ばね４０による付勢力を次のように設定することにより、かみそりヘッド２の刃面を肌面の複雑な凹凸に対して円滑に追随できるようにしながら、かみそりヘッド２の不必要な傾動を規制して、ひげ切断を効果的に行えるようにしている。
【００３２】
具体的には、第１ばね３８によるばね荷重Ｆ１を、第２ばね３９のばね荷重Ｆ２より大きく設定し、さらに、第３ばね４０のばね荷重Ｆ３を、第１ばね３８のばね荷重Ｆ１より小さく、第２ばね３９のばね荷重Ｆ２より大きく設定して、不等式（Ｆ１＞Ｆ３＞Ｆ２）を満足するように各ばね３８〜４０のばね荷重を調整する。この場合の第１ばね３８のばね荷重Ｆ１とは、ヘッド枠３４の前側、または後側に配置した、左右一対の第１ばね３８の合計ばね荷重を意味し、第２ばね３９のばね荷重Ｆ２とは、左右いずれか一方の第２ばね３９のばね荷重を意味する。また、第３ばね４０は左右の第２ばね３９が兼ねるので、第３ばね４０のばね荷重Ｆ３とは、左右一対の第２ばね３９の合計ばね荷重を意味する。
【００３３】
さらに、先に説明したロックばね２７のばね荷重Ｆ４を、第１ばね３８のばね荷重Ｆ１より大きく設定して、不等式（Ｆ４＞Ｆ１＞Ｆ３＞Ｆ２）を満足するように各ばね２７・３８〜４０のばね荷重を調整する。この場合のロックばね２７のばね荷重Ｆ４とは、左右いずれかのロックばね２７のばね荷重を意味している。このように、ロックばね２７のばね荷重Ｆ４を、第１〜第３の各ばね３８〜４０のばね荷重Ｆ１〜Ｆ３との関係で設定すると、電気かみそりをバッグに収容した状態で携行するような場合に、ロック解除ボタン２４に外力が作用することがあっても、かみそりヘッド２の全体が左右傾動して外力を逃がすことができる。つまり、ロック解除ボタン２４がロックばね２７のばね荷重に抗して押し込み操作され、外刃ホルダー１７がヘッドフレーム１５から浮き離れて、内部の毛屑が飛散するのを防止できる。
【００３４】
不使用時のかみそりヘッド２は、互いに対向する前後２個ずつの第１ばね３８のばね荷重を受けて中立位置に保持されており、前後の第１ばね３８のばね荷重は釣り合っている。このとき、各第１ばね３８は設定されたばね荷重を発揮しているものの、中立位置にあるかみそりヘッド２が受ける傾動モーメントはゼロの状態になっている。この状態のかみそりヘッド２に前後いずれかの向きの外力が作用すると、ばね荷重の均衡が崩れるため、かみそりヘッド２は外力と同じ向きに傾動し、傾動方向と逆側に位置する第１ばね３８が圧縮変形され、そのばね荷重が増加する。また、傾動方向と同じ側に位置する第１ばね３８は伸長変形し、そのばね荷重が減少する。さらに、左右一対の第２ばね３９が外力と同じ向きにたわみ変形する。
【００３５】
そのため、中立位置に保持された状態のかみそりヘッド２は、前後向きのごく小さな外力で傾動し始めるものの、中立位置近傍の初期傾動範囲を越えて傾動角度が増加するのに伴い、圧縮変形する側の第１ばね３８のばね荷重が急激に増加する。したがって、中立位置付近におけるかみそりヘッド２は前後傾動しやすいが、傾動した状態のかみそりヘッド２は、外力と釣り合う大きさのばね荷重を受けてぐらつきにくくなる。このように、前後方向の初期傾動範囲内においてかみそりヘッド２が第１ばね３８から受けるばね荷重は、第２ばね３９および第３ばねのばね荷重より小さいが、初期傾動範囲を越えて傾動する状態においてかみそりヘッド２が第１ばね３８から受けるばね荷重は、第２ばね３９および第３ばねのばね荷重より強くなる。かみそりヘッド２が左右傾動するときの、第２ばね３９のばね荷重も同様に変化するので、中立位置付近におけるかみそりヘッド２は左右傾動しやすいが、傾動した状態のかみそりヘッド２は、外力と釣合う大きさのばね荷重を受けてぐらつきにくくなる。以上により、ひげ切断面を肌面の凹凸に追随させながら、ひげ切断時のかみそりヘッド２の前後方向のふらつきを規制して、効率よくひげ切断を行うことができることとなる。
【００３６】
図１１は、本発明に係るヘッド支持構造の別の実施例を示す。そこでは、ヘッド枠３４とばね受枠３７との間に配置される４個の第１ばね３８のうち、ヘッド枠３４の前面側に配置される左右の第１ばね３８を省略し、ばね受枠３７の前方のばね受腕６１に、ばね受けブロック５２の前面に接当する規制突起７７を設けて、中立位置に保持された状態のかみそりヘッド２が、第１傾動軸３５を中心にして後方へ傾動するのを規制した。つまり、この実施例におけるかみそりヘッド２は、その前後傾動範囲が中立位置と前方の傾動限界位置との間に限定してある。他は先の実施例と同じであるので、同じ部材に同じ符号を付してその説明を省略する。以下の実施例においても同様に扱う。
【００３７】
上記のように、規制突起７７を設けてかみそりヘッド２の後方傾動が規制してある電気かみそりは、前後傾動範囲が中立位置から前方傾動限界との間に限定される。このように、本発明における前後傾動するかみそりヘッド２とは、かみそりヘッド２の前後傾動範囲が、中立位置と前後いずれか一方の傾動限界位置との間に限定してある場合をも含むこととする。因みに、この実施例におけるかみそりヘッド２は、前側の第１ばね３８の影響を受けないため、中立位置においては後側の第１ばね３８のばね荷重を受けている。したがって、かみそりヘッド２は、後方へ傾動し始めるのと同時に第１ばね３８のばね荷重によって復帰付勢される。このときの第１ばね３８のばね荷重は、第２ばね３９および第３ばねのばね荷重より大きく、したがって、かみそりヘッド２のぐらつきを初期傾動段階から防止できることとなる。
【００３８】
図１２は、ヘッド支持構造のさらに別の実施例を示す。ヘッド支持構造は、本体ケース１に固定されるコ字状のフレーム８１と、かみそりヘッド２を中立位置へ復帰付勢する左右一対ずつの第１ばね３８および第２ばね３９などで構成する。第１ばね３８は板ばねで形成してあり、その上端がヘッドフレーム１５に固定され、下端に張り出し形成されたスライド片９０が、フレーム８１の縦壁８２に形成したスライド溝８３で上下スライドのみ可能に案内支持してある。第２ばね３９は、上記の実施例と同じ圧縮コイルばねで形成してあり、先の縦壁８２の上端に張り出し形成したばね受座８４とヘッドフレーム１５との間に配置してある。モーター２０は、フレーム８１の底壁に装着されており、その回転動力はフレキシブル軸９２を介して、ヘッドフレーム内部の動力伝動構造へ伝動できるようにしてある。かみそりヘッド２が前後、あるいは左右方向へ傾動するとき、フレキシブル軸９２はかみそりヘッド２の傾動動作に追随変形した状態で、回転動力を伝動する。
【００３９】
板ばねで形成した第１ばね３８は、かみそりヘッド２が中立位置から前後いずれかへ傾動するとき、その縦長のばね腕部分が前後にたわみ変形してばね荷重を発揮する。この場合には、かみそりヘッド２が中立位置から前後いずれかへ傾動した状態では、第１ばね３８が大きなばね荷重を発揮してかみそりヘッド２のぐらつきを防止できる。つまり、この実施例におけるかみそりヘッド２は、図１１で説明したヘッド支持構造と同様に、初期傾動段階における第１ばね３８のばね荷重を、第２ばね３９および第３ばねのばね荷重より強くして、かみそりヘッド２のぐらつきを初期傾動段階から防止できる。
【００４０】
上記の実施例では、第２ばね３９が第３ばね４０を兼ねたが、専用の第３ばね４０を別途設けることができる。また、メイン刃１８の内刃１８ａがロータリー式の内刃で構成してある場合について説明したが、メイン刃は往復動形の内刃を備えた切断刃であってもよい。モーター２０は縦置き配置する必要はなく横置き配置することができる。かみそりヘッド２の中心軸線Ｐ２は、本体ケース１の中心軸線Ｐ１に対して傾斜させる必要はない。
【図面の簡単な説明】
【００４１】
【図１】電気かみそりの縦断側面図である。
【図２】電気かみそりの正面図である。
【図３】電気かみそりの一部破断側面図である。
【図４】電気かみそり要部の一部破断正面図である。
【図５】外刃ホルダーのロック構造を示す断面図である。
【図６】ヘッド支持構造の分解側面図である。
【図７】ヘッド支持構造の縦断正面図である。
【図８】図４におけるＡ−Ａ線断面図である。
【図９】図８におけるＢ−Ｂ線断面図である。
【図１０】図８におけるＣ−Ｃ線断面図である。
【図１１】ヘッド支持構造の別の実施例を示す縦断側面図である。
【図１２】ヘッド支持構造のさらに別の実施例を示す縦断側面図である。
【符号の説明】
【００４２】
１  本体ケース
２  かみそりヘッド
１７  外刃ホルダー
１８ａ  内刃
１８ｂ  外刃
２４  ロック解除具
２７  ロックばね
３５  第１傾動軸
３６  第２傾動軸
３８  第１ばね
３９  第２ばね
４０  第３ばね
【図１】
2008307132.tif 000003
【図２】
2008307132.tif 000004
【図３】
2008307132.tif 000005
【図４】
2008307132.tif 000006
【図５】
2008307132.tif 000007
【図６】
2008307132.tif 000008
【図７】
2008307132.tif 000009
【図８】
2008307132.tif 000010
【図９】
2008307132.tif 000011
【図１０】
2008307132.tif 000012
【図１１】
2008307132.tif 000013
【図１２】
2008307132.tif 000014